(57)【要約】【課題】  通常行先釦及び多利用階を判定して多利用階に対応した優先行先釦を行先釦表示画面に表示するエレベーター操作盤を得ることを目的とする。【解決手段】  制御手段１の動作により、建物において例えば所定時間内における同じ行先釦の操作回数が所定値を超え、特定の階床に対してかご１３が集中的に発着する状態となる行先階を多利用階、すなわち表示優先階とする。そして、その表示優先階床の行先釦を優先行先釦表示領域１７に表示する。  このため多利用階について、行先釦表示画面３に所要行先釦の表示がない場合に、乗客が階表示切替え釦を操作し行先釦表示画面３を切り換え、その後に所要行先釦を操作する手数を省き、多利用階の行先釦を操作する乗客のエレベーター利用を容易化する。【選択図】        図１
2005162465.tif 000002
【特許請求の範囲】
【請求項１】
エレベーターの操作盤の要部をなすタッチパネルディスプレイと、このタッチパネルディスプレイに形成され、連続した上記エレベーターの乗場がそれぞれ設けられた複数階にそれぞれ対応した複数の行先釦群のいずれかが表示される行先釦表示画面と、この行先釦表示画面に形成される通常行先釦表示領域と、上記行先釦表示画面に形成される優先行先釦表示領域と、上記行先釦表示画面に上記通常行先釦表示領域を設定して上記複数の行先釦群のいずれかからなる通常行先釦の表示を指令すると共に、上記行先釦のそれぞれに対応した階床のうちの多利用階を判定して上記行先釦表示画面に上記優先行先釦表示領域を設定し、この優先行先釦表示領域に上記多利用階に対応した行先釦の表示を指令する制御手段とを備えたエレベーター操作盤。
【請求項２】
制御手段を、所定時間内における同じ行先釦の操作回数が所定値を超えた行先階によって多利用階を判定する機能を有するものとしたことを特徴とする請求項１記載のエレベーター操作盤。
【請求項３】
制御手段を、所定時間内における同じ停止階床から乗客が降り立つ回数が所定値を超えた階床によって多利用階を判定する機能を有するものとしたことを特徴とする請求項１記載のエレベーター操作盤。
【請求項４】
制御手段を、特定の階床に対してかごを集中的に発着させるエレベーターの付加運転動作における主階床を多利用階と判定する機能を有するものとしたことを特徴とする請求項１記載のエレベーター操作盤。
【請求項５】
制御手段を、優先行先釦表示領域に表示する行先釦の表示数について、表示優先度の分布に対応して判定して上記行先釦の表示数を調整する機能を有するものとしたことを特徴とする請求項１記載のエレベーター操作盤。
【発明の詳細な説明】
【技術分野】
【０００１】
この発明は、エレベーター乗場の連続した複数階に対応した複数の行先釦群のいずれかを、タッチパネルディスプレイに表示する行先釦表示画面が設けられたエレベーター操作盤に関する。
【背景技術】
【０００２】
従来のエレベーター操作盤において、タッチパネルディスプレイにエレベーター乗場の連続した複数階に対応した複数の行先釦群のいずれかを表示する行先釦表示画面が設けられる。そして、階床表示選択ボタンを押すことによって行先釦表示画面における行先釦群の表示を切り換える。これによって、多数の階床に乗場が設けられたエレベーターにおいて、小形であって安価なエレベーター操作盤を供給でき、また乗客へのサービス性を向上するように構成されている。（例えば、特許文献１参照）。
【０００３】
なお、多数の階床が設けられた高層ビルに設置されるエレベーターの場合に、階床のそれぞれに対応した多数の行先釦の配置が必要でありエレベーター操作盤面が大形化する。このため、エレベーター乗場の連続した複数階に対応した複数の行先釦群のいずれかを表示する行先釦表示画面を設け、階床表示選択ボタンを押すことによって行先釦群の表示が切り換えられる。
【０００４】
【特許文献１】実開平５−１７７０号公報（要約、図１）
【発明の開示】
【発明が解決しようとする課題】
【０００５】
従来のエレベーター操作盤において、行先釦表示画面に所要の行先釦群が表示されていない場合に、乗客が階床表示選択ボタンを押して行先釦群表示を切り換え、その後に所要の行先釦を押すことになり煩雑な操作を要するという問題点があった。なお、高層ビル等であって多くのテナントやオフィスがある建物では、出勤時、昼食時等であって特定の階床においてかごが集中的に発着する多利用階の数は少なくても上層〜下層の広範囲にわたる場合が多い。したがって、行先釦表示画面の形状や大きさの関係から行先釦表示画面に多利用階を最初から表示しておくことは困難である。
【０００６】
この発明は、かかる問題点を解消するためになされたものであり、通常行先釦及び多利用階を判定して要時に多利用階に対応した優先行先釦を行先釦表示画面に表示するエレベーター操作盤を得ることを目的とする。
【課題を解決するための手段】
【０００７】
この発明に係るエレベーター操作盤においては、エレベーターの操作盤の要部をなすタッチパネルディスプレイと、このタッチパネルディスプレイに形成され、連続したエレベーターの乗場がそれぞれ設けられた複数階にそれぞれ対応した複数の行先釦群のいずれかが表示される行先釦表示画面と、この行先釦表示画面に形成される通常行先釦表示領域と、行先釦表示画面に形成される優先行先釦表示領域と、行先釦表示画面に通常行先釦表示領域を設定して複数の行先釦群のいずれかからなる通常行先釦の表示を指令すると共に、行先釦のそれぞれに対応した階床のうちの多利用階を判定して行先釦表示画面に優先行先釦表示領域を設定し、この優先行先釦表示領域に多利用階に対応した行先釦の表示を指令する制御手段とが設けられる。
【発明の効果】
【０００８】
この発明によるエレベーター操作盤は、制御手段の動作により、建物において例えば所定時間内における同じ行先釦の操作回数が所定値を超え、特定の階床に対してかごが集中的に発着する状態となる行先階によって多利用階、すなわち表示優先階が設定されてその階床の行先釦が優先行先釦表示領域に表示される。このため多利用階について行先釦表示画面に所要の行先釦が表示されていない場合に、乗客が上方階表示切替え釦等を操作して行先釦表示画面を切り換え、その後に所要の行先釦を操作する煩雑な操作を省くことができる。これにより、多利用階の行先釦を操作する乗客のエレベーター利用を容易化する効果がある。
【発明を実施するための最良の形態】
【０００９】
実施の形態１．
図１〜図８は、この発明の実施の形態を示す図で、図１は全体構成を示すブロック図、図２は図１のエレベーター操作盤における行先釦表示画面における第一表示状態を示す図、図３は第二表示状態を示す図２相当図、図４は第三表示状態を示す図２相当図、図５は第四表示状態を示す図２相当図、図６は第五表示状態を示す図２相当図、図７は第六表示状態を示す図２相当図、図８は図１のエレベーター操作盤の制御手段における制御動作を説明するフローチャートである。
【００１０】
図において、エレベーターのかご又は乗場に配置されるエレベーター操作盤に制御手段１、タッチパネルディスプレイ２が設けられ、またタッチパネルディスプレイ２に行先釦表示画面３が形成される。そして、制御手段１に後述する表示優先度を判定する表示優先度判定手段４、表示優先度判定手段４に接続された表示優先階決定手段５、表示優先階決定手段５に接続されたパラメータ設定手段６が設けられる。
【００１１】
さらに、制御手段１に、表示優先階決定手段５に接続された表示優先階分散度判定手段７、表示優先階分散度判定手段７に接続された行先釦表示手段８、行先釦表示手段８に接続された行先階検出手段９、行先釦表示手段８に接続された液晶表示制御部１０、行先階検出手段９に接続されたタッチパネル制御部１１が設けられる。なお、液晶表示制御部１０及びタッチパネル制御部１１はタッチパネルディスプレイ２に接続される。
【００１２】
また、エレベーターの制御装置１２が表示優先度判定手段４、行先釦表示手段８及び行先階検出手段９に接続される。そして、エレベーターのかご１３に設けられた負荷検出手段１４が制御装置１２に接続され、また付加運転動作選択手段１５が表示優先度判定手段４及び制御装置１２に接続される。また、行先釦表示画面３に通常行先釦表示領域１６及び優先行先釦表示領域１７が形成され、また行先釦表示画面３に上方階表示切替え釦１８及び下方階表示切替え釦１９が表示される。
【００１３】
なお、行先階検出手段９によって操作された行先釦が検出され、また表示優先度判定手段４は、例えば所定時間内における同じ行先釦の操作回数が所定値を超えたときにその行先釦を優先表示行先釦と判定する。また、パラメータ設定手段６は、優先表示行先釦を判定するための基準となる表示優先度や、表示優先度を決定するための規定値を設定する。さらに、表示優先階決定手段５は、表示優先度判定手段４によって得られた行先階の表示優先度及びパラメータ設定手段６で設定されたパラメータによって優先表示すべき行先階を決定する。
【００１４】
そして、表示優先階分散度判定手段７は、表示優先階決定手段５によって得られた表示優先階の分散度合いから、優先度の高い行先釦を表示する優先行先釦表示領域１７に表示するかどうかを判定する。また、負荷検出手段１４はかご１３内の負荷を検出する。また、付加運転動作選択手段１５は、所定時間帯により、また交通量によりエレベーターの制御形態が選択されて制御装置１２が付加運転特有の制御動作を行う。
【００１５】
なお付加運転動作とは、出勤時、昼食時、退勤時、会議開催、催し事等に対応して特定の階床に対してかご１３を集中的に発着させる動作であって、これらのいずれかが適時に選択される。そして、付加運転特有の制御動作に伴って表示優先度判定手段４は、選択されたエレベーターの制御形態に対応して表示優先度を判定する。
【００１６】
上記のように構成されたエレベーター操作盤において、行先釦表示画面３の通常行先釦表示領域１６の画面に連続した複数階に対応した複数の行先釦群が表示されていて乗客が所要の行先釦を操作することによって、エレベーターの制御装置１２が動作して操作された行先階へエレベーターのかご１３が運転される。そして、通常行先釦表示領域１６の画面に乗客の所要の行先釦群が表示されていない場合には、上方階表示切替え釦１８及び下方階表示切替え釦１９のいずれかを乗客が操作する。
【００１７】
これによって、通常行先釦表示領域１６の画面に表示された行先釦群が切替えられる。例えば図２の表示画面において上方階表示切替え釦１８を操作すると図３に示す表示画面に切替わる。以下同様に、図３の表示画面から上方階表示切替え釦１８の操作により図４に示す表示画面に、また図４の表示画面から上方階表示切替え釦１８の操作により図５に示す表示画面に切替わる。
【００１８】
以下、制御手段１における制御動作を図４に示すフローチャートによって説明する。すなわち、手順１０１において優先行先釦表示領域１７に多利用階に対応した行先釦を表示するための、それぞれの行先釦における優先度判定の処理階床を最下階に設定する。次いで、手順１０２へ進んで処理階床の表示優先度を決定して、手順１０３へ進み全階床の表示優先度が決定していれば手順１０４へ進み、全階床の表示優先度が決定していなければ手順１０５へ進む。
【００１９】
そして、手順１０５において処理階床を次下階に設定して手順１０２へ戻る。また手順１０４において全階床の表示優先度から、前述の例えば所定時間内における同じ行先釦の操作回数が所定値を超えた行先階によって設定される表示優先階があれば手順１０６へ進み、また手順１０４において全階床の表示優先度から表示優先階がなければ手順１０７へ進む。
【００２０】
手順１０６において、表示優先階の分散度を判定して手順１０８へ進んで、表示優先階が通常行先釦表示領域１６における多画面に分散していなければ手順１０９へ進み、表示優先階が通常行先釦表示領域１６における多画面に分散していれば手順１０７へ進む。そして、手順１０９により行先釦表示画面３に通常行先釦表示領域１６及び優先行先釦表示領域１７を表示すると共に優先行先釦表示領域１７に表示優先階に対応した行先釦を表示して処理を終了する。
【００２１】
なお、行先釦表示画面３に通常行先釦表示領域１６及び優先行先釦表示領域１７に表示優先階の行先釦を表示した画面は図６又は図７に示す状態となる。また、手順１０７においては図２〜図５に示すように行先釦表示画面３に通常行先釦表示領域１６を表示して処理を終了する。
【００２２】
以上説明した制御手段１の動作により、建物において例えば所定時間内における同じ行先釦の操作回数が所定値を超えた行先階によって多利用階、すなわち表示優先階が設定されてその階床の行先釦が優先行先釦表示領域１７に表示される。このため多利用階について、行先釦表示画面３に所要の行先釦が表示されていない場合に、前述のように乗客が上方階表示切替え釦１８等を操作して行先釦表示画面３を切り換え、その後に所要の行先釦を操作するという煩雑な操作を省くことができる。これにより、多利用階の行先釦を操作する乗客のエレベーター利用を容易化することができる。
【００２３】
実施の形態２．
図９は、この発明の他の実施の形態を示す図で、エレベーター操作盤の制御手段における制御動作を説明するフローチャートである。なお、制御手段等の関連機器は前述の図１〜図８の実施の形態と同様に構成されている。以下、制御手段１による制御動作を図９に示すフローチャートによって説明する。すなわち、手順２０１において所定時間内における同じ行先釦の操作回数が所定値を超えた行先階によって多利用階、すなわち表示優先階が設定される。
【００２４】
次いで手順２０２へ進み、設定された表示優先階の優先度が規定値Ｎ１未満であれば手順２０３へ、規定値Ｎ１以上規定値Ｎ２未満であれば手順２０４へ、規定値Ｎ２以上であれば手順２０５へそれぞれ進む。そして、手順２０３において表示優先階の優先度を「非優先レベル」に設定して処理を終了し、手順２０４において表示優先階の優先度を「準優先レベル」に設定して処理を終了し、手順２０５において表示優先階の優先度を「優先レベル」に設定して処理を終了する。
【００２５】
これによって、建物において所定時間内における同じ行先釦の操作回数が所定値を超えた行先階によって多利用階、すなわち表示優先階が設定されてその階床の行先釦が優先行先釦表示領域１７に表示される。したがって、詳細な説明を省略するが図９の実施の形態においても図１〜図８の実施の形態と同様な作用が得られる。
【００２６】
なお、行先釦の操作回数はエレベーターの行先呼び発生数であり、制御装置１２から得られる運行状態に含まれる。これは通常、かご呼びが登録された回数であり、単位時間あたりのかご呼び登録が所定時間内の行先呼び発生数となる。また、表示優先度は予め決められた値で、「非優先レベル」＜「準優先レベル」＜「優先レベル」とする。また、表示優先度を決定するための規定値Ｎ１、Ｎ２はパラメータ設定手段６で予め決められた値で、Ｎ１＜Ｎ２とする。
【００２７】
実施の形態３．
図１０も、この発明の他の実施の形態を示す図で、エレベーター操作盤の制御手段における制御動作を説明するフローチャートである。なお、制御手段等の関連機器は前述の図１〜図８の実施の形態と同様に構成されている。以下、制御手段１による制御動作を図１０に示すフローチャートによって説明する。すなわち、手順３０１において所定時間内における同じ停止階床から乗客が降り立つ回数が所定値を超えた階床によって多利用階、すなわち表示優先階が設定される。
【００２８】
次いで手順３０２へ進み、設定された表示優先階の優先度が規定値Ｎ１未満であれば手順３０３へ、規定値Ｎ１以上規定値Ｎ２未満であれば手順３０４へ、規定値Ｎ２以上であれば手順３０５へそれぞれ進む。そして、手順３０３において表示優先階の優先度を「非優先レベル」に設定して処理を終了し、手順３０４において表示優先階の優先度を「準優先レベル」に設定して処理を終了し、手順３０５において表示優先階の優先度を「優先レベル」に設定して処理を終了する。
【００２９】
これによって、建物において所定時間内における同じ停止階床から乗客が降り立つ回数が所定値を超えた階床によって多利用階、すなわち表示優先階が設定されてその階床の行先釦が優先行先釦表示領域１７に表示される。したがって、詳細な説明を省略するが図９の実施の形態においても図１〜図８の実施の形態と同様な作用が得られる。
【００３０】
なお、乗客が降り立つ回数は、かご１３内の負荷を検出する負荷検出手段１４の検出値が制御装置１２経由で取り込まれ、負荷変動とかご１３の定員より算出する。また、単位時間あたりの乗客の降り立ち回数が、所定時間内の乗客の降り立ち回数となる。また、表示優先度は予め決められた値で、「非優先レベル」＜「準優先レベル」＜「優先レベル」とする。また、表示優先度を決定するための規定値Ｎ１、Ｎ２はパラメータ設定手段６で予め決められた値で、Ｎ１＜Ｎ２とする。
【００３１】
実施の形態４．
図１１も、この発明の他の実施の形態を示す図で、エレベーター操作盤の制御手段における制御動作を説明するフローチャートである。なお、制御手段等の関連機器は前述の図１〜図８の実施の形態と同様に構成されている。以下、制御手段１による制御動作を図１１に示すフローチャートによって説明する。すなわち、手順４０１によって優先行先釦表示領域１７に多利用階に対応した行先釦を表示するための、それぞれの行先釦における優先度判定の処理階床をクリアする。
【００３２】
次に、手順４０２に進んで処理付加運転動作をＰｎに設定して手順４０３に進み、付加運転動作Ｐｎ運転中であれば手順４０４に進み、付加運転動作Ｐｎ運転中でなければ手順４０５に進む。そして、手順４０４において付加運転動作適用階床であれば手順４０６に進み、付加運転動作適用階床でなければ手順４０５に進む。手順４０６において優先度に規定値Ｎを追加して手順４０５に進む。
【００３３】
そして、手順４０５において全付加運転動作を処理していなければ手順４０７に進んで、処理付加運転動作をＰｎ＋１に設定して手順４０３に戻る。また、手順４０５において全付加運転動作を処理していれば手順４０８に進み、設定された表示優先階の優先度が規定値Ｎ１未満であれば手順４０９へ、規定値Ｎ１以上規定値Ｎ２未満であれば手順４１０へ、規定値Ｎ２以上であれば手順４１１へそれぞれ進む。
【００３４】
そして、手順４０９において表示優先階の優先度を「非優先レベル」に設定して処理を終了し、手順４１０において表示優先階の優先度を「準優先レベル」に設定して処理を終了し、手順４１１において表示優先階の優先度を「優先レベル」に設定して処理を終了する。なお、付加運転動作と付加運転動作の適用階床は、昼食時サービス運転と昼食堂階や、会議室サービス運転と会議室階や、出勤時サービス運転や退勤時サービス運転時等において、特定の階床に対してかご１３を集中的に発着させる動作における主階床のことである。
【００３５】
なお、表示優先度は予め決められた値で、「非優先レベル」＜「準優先レベル」＜「優先レベル」とする。また、表示優先度を決定するための規定値Ｎ１、Ｎ２や付加運転動作適用階床であった場合に追加する規定値Ｎは、パラメータ設定手段６で予め決められた値でＮ１＜Ｎ２とする。また、Ｎは任意の値とする。
【００３６】
実施の形態５．
図１２及び図１３も、この発明の他の実施の形態を示す図で、図１２は全体構成を示すブロック図、図１３は図１２のエレベーター操作盤の制御手段における制御動作を説明するフローチャートである。なお、制御手段等の関連機器は前述の図１〜図８の実施の形態と同様に構成されている。図において、図１〜図８と同符号は相当部分を示し、表示優先階分散度判定手段７と行先釦表示手段８の両者の間に、表示優先階数決定手段２０が配置されて上記両者に接続される。
【００３７】
上記のように構成されたエレベーター操作盤における制御手段１による制御動作を図１３に示すフローチャートによって説明する。すなわち、手順５０１により表示優先度において「優先レベル」である階床数が規定値Ｎ１未満であれば手順５０２へ進み、また規定値Ｎ１以上であれば手順５０３へ進む。そして、手順５０２により表示優先度において「準優先レベル」である階床数が規定値Ｎ２未満であれば手順５０４へ進み、また規定値Ｎ２以上であれば手順５０５へ進む。
【００３８】
そして、手順５０４において優先行先釦表示領域１７の行先釦表示数を０個に設定して処理を終了し、手順５０５において優先行先釦表示領域１７の行先釦表示数をＮ４個に設定して処理を終了し、また手順５０３において優先行先釦表示領域１７の行先釦表示数をＮ３個に設定して処理を終了する。なお、表示優先度は予め決められた値で、「非優先レベル」＜「準優先レベル」＜「優先レベル」とする。
【００３９】
また、表示優先度を決定するための規定値Ｎ１、Ｎ２や優先度の行先釦表示数Ｎ３、Ｎ４は、パラメータ設定手段６で予め決められた値でＮ１＜Ｎ２とする。また、Ｎ３、Ｎ４は任意の値とする。なお、優先行先釦表示領域１７の行先釦表示数パラメータは表１のように設定され、また優先行先釦表示領域１７の行先釦表示数設定例として表２のように設定される。
【００４０】
【表１】
2005162465.tif 000003
【００４１】
【表２】
2005162465.tif 000004
【図面の簡単な説明】
【００４２】
【図１】この発明の実施の形態１を示す図で、全体構成を示すブロック図。
【図２】図１のエレベーター操作盤における行先釦表示画面における第一表示状態を示す図。
【図３】第二表示状態を示す図２相当図。
【図４】第三表示状態を示す図２相当図。
【図５】第四表示状態を示す図２相当図。
【図６】第五表示状態を示す図２相当図。
【図７】第六表示状態を示す図２相当図。
【図８】図１のエレベーター操作盤の制御手段における制御動作を説明するフローチャート。
【図９】この発明の実施の形態２を示す図で、エレベーター操作盤の制御手段における制御動作を説明するフローチャート。
【図１０】この発明の実施の形態３を示す図で、エレベーター操作盤の制御手段における制御動作を説明するフローチャート。
【図１１】この発明の実施の形態４を示す図で、エレベーター操作盤の制御手段における制御動作を説明するフローチャート。
【図１２】この発明の実施の形態５を示す図で、全体構成を示すブロック図。
【図１３】図１２のエレベーター操作盤の制御手段における制御動作を説明するフローチャート。
【符号の説明】
【００４３】
１  制御手段、２  タッチパネルディスプレイ、３  行先釦表示画面、１６  通常行先釦表示領域、１７  優先行先釦表示領域。
【図１】
2005162465.tif 000005
【図２】
2005162465.tif 000006
【図３】
2005162465.tif 000007
【図４】
2005162465.tif 000008
【図５】
2005162465.tif 000009
【図６】
2005162465.tif 000010
【図７】
2005162465.tif 000011
【図８】
2005162465.tif 000012
【図９】
2005162465.tif 000013
【図１０】
2005162465.tif 000014
【図１１】
2005162465.tif 000015
【図１２】
2005162465.tif 000016
【図１３】
2005162465.tif 000017